(57)【要約】【課題】簡易な構成で頭部固定の操作性の向上を図りつつ、撮影中の頭部の揺れを効果的に抑えることが可能な頭部固定装置を提供する。【解決手段】頭部固定装置６は、Ｘ線撮影装置に用いられ患者の頭部を固定する頭部固定装置である。頭部固定装置６は、患者の左右のこめかみ部にそれぞれ当接する一対のパッド６３１，６３１を有する頭部押さえ手段６３を備えている。一対のパッド６３１，６３１は、患者に対して近接離反移動可能である。【選択図】図３
2018121800.tif 000002
【特許請求の範囲】
【請求項１】
Ｘ線撮影装置に用いられ被検者の頭部を固定する頭部固定装置であって、
前記被検者の左右のこめかみ部にそれぞれ当接する一対のパッドを有する頭部押さえ手段を備え、
一対の前記パッドは、前記被検者に対して近接離反移動可能であることを特徴とする頭部固定装置。
【請求項２】
一対の前記パッドは、前記被検者に当接する当接面をそれぞれ有し、
一対の前記当接面の各法線の間の挟角は、９０度〜１５０度に設定されていることを特徴とする請求項１に記載の頭部固定装置。
【請求項３】
前記頭部押さえ手段は、一対の前記パッドが取り付けられているパッド取付部を有し、
前記パッドは、柔軟性を有する介在部材を介して前記パッド取付部に取り付けられていることを特徴とする請求項１または請求項２に記載の頭部固定装置。
【請求項４】
一対の前記パッドは、前記被検者の前後方向に移動可能であることを特徴とする請求項１から請求項３のいずれか一項に記載の頭部固定装置。
【請求項５】
一対の前記パッドは、前記被検者の左右方向に移動可能であることを特徴とする請求項１から請求項３のいずれか一項に記載の頭部固定装置。
【請求項６】
一対の前記パッドは、前記被検者の左右方向に延びる軸線の周りで円周方向に移動可能であることを特徴とする請求項１から請求項３のいずれか一項に記載の頭部固定装置。
【請求項７】
本体部と、
前記本体部に取り付けられ、前記被検者の下顎部を支持する下顎部支持手段と、を備え、
前記下顎部支持手段は、前記下顎部の下部に接触する接触面を持つ接触部材を有し、
前記頭部押さえ手段は、一対の前記パッドを支持するパッド支持部材を有し、
前記パッド支持部材は、前記軸線に沿う回動軸の周りで回動可能に前記本体部に取り付けられていることを特徴とする請求項６に記載の頭部固定装置。
【請求項８】
前記回動軸は、前記軸線に沿う方向にスライド可能であり、
前記接触面は、前記下顎部の下部の前側部分に接触するものであり、
前記接触面上から外方に向けて延びる該接触面の法線ベクトルは、前記被検者の左右方向の成分を有しないことを特徴とする請求項７に記載の頭部固定装置。
【請求項９】
前記接触面は、前記被検者の後方に向かう方向において先端に近付くにしたがって下がるように傾斜する平面であることを特徴とする請求項８に記載の頭部固定装置。
【請求項１０】
前記接触部材は、前記被検者の前後方向に移動可能であることを特徴とする請求項７から請求項９のいずれか一項に記載の頭部固定装置。
【請求項１１】
前記本体部が設けられている基部を備え、
前記本体部は、前記基部に対して上下方向に移動可能であることを特徴とする請求項７から請求項１０のいずれか一項に記載の頭部固定装置。
【発明の詳細な説明】
【技術分野】
【０００１】
本発明は、Ｘ線撮影装置に用いられ被検者の頭部を固定する頭部固定装置に関する。
【背景技術】
【０００２】
歯科用のＸ線撮影装置では、撮影時に被検者の頭部を所定位置に安定的に位置決めして精度の高い画像を得るために、被検者の頭部を固定する頭部固定装置が用いられている。
【０００３】
特許文献１には、前後に移動可能な前頭部押さえ部材で被検者の前頭部を固定し、左右に移動可能な側頭部押さえ部材で被検者の側頭部を左右から固定する頭部固定装置を備えたＸ線撮影装置が記載されている（段落［００５５］、図９参照）。
【先行技術文献】
【特許文献】
【０００４】
【特許文献１】特開２０１０−１４８６７６号公報
【発明の概要】
【発明が解決しようとする課題】
【０００５】
特許文献１に記載された従来の頭部固定装置は、側頭部の両側２箇所および前頭部の１箇所の合計３箇所を保持することができ、撮影中の頭部の揺れを抑えるのに有効である。
しかし、従来の頭部固定装置を用いた頭部固定の操作は、側頭部を固定する際の左右方向の運動と、前頭部を固定する際の前後方向の運動との２アクションとなる。このため、操作が煩雑であるとともに移動機構も２つ必要で構成が複雑になることから改善の余地があった。
【０００６】
本発明は、前記した事情に鑑みてなされたものであり、簡易な構成で頭部固定の操作性の向上を図りつつ、撮影中の頭部の揺れを効果的に抑えることが可能な頭部固定装置を提供することを課題とする。
【課題を解決するための手段】
【０００７】
前記課題を解決するため、本発明は、Ｘ線撮影装置に用いられ被検者の頭部を固定する頭部固定装置であって、前記被検者の左右のこめかみ部にそれぞれ当接する一対のパッドを有する頭部押さえ手段を備え、一対の前記パッドは、前記被検者に対して近接離反移動可能であることを特徴とする。
【０００８】
この構成では、頭部固定の操作は一対のパッドを被検者にそれぞれ近接移動させる運動の１アクションで済み、操作が簡便になる。また、被検者の左右のこめかみ部が一対のパッドによって押さえられるため、被検者の頭部を左右方向および前後方向において同時に確実に位置決めできる。しかも、移動機構は、一対のパッドを被検者に対して近接離反移動させる移動機構の１つで済み、簡易かつ安価な構成を実現できる。さらに、頭部の揺れを抑えるために被検者に当接する箇所を、従来の側頭部の両側２箇所および前頭部の１箇所の合計３箇所から２箇所に減らすことができ、被検者の不快感を軽減できる。
すなわち、本発明によれば、簡易な構成で頭部固定の操作性の向上を図りつつ、撮影中の頭部の揺れを効果的に抑えることが可能な頭部固定装置を提供できる。
【０００９】
前記頭部固定装置において、一対の前記パッドは、前記被検者に当接する当接面をそれぞれ有し、一対の前記当接面の各法線の間の挟角は、９０度〜１５０度に設定されていることが好ましい。
【００１０】
この構成では、被検者の頭部が一対のパッドから受ける各力と、被検者が頭部の位置を保つための力とが、頭部を中心とした円周方向において概ね均等に配分された方向から働く。このため、頭部の固定力が向上し、撮影中の頭部の揺れをより抑えることが可能となる。
【００１１】
前記頭部固定装置において、前記頭部押さえ手段は、一対の前記パッドが取り付けられているパッド取付部を有し、前記パッドは、柔軟性を有する介在部材を介して前記パッド取付部に取り付けられていることが好ましい。
【００１２】
この構成では、被検者の額面におけるこめかみ部にパッドが当接すると、柔軟性を有する介在部材が変形してパッドの当接面が額面に倣うようにパッドの角度が変化する。したがって、パッドは、被検者によって異なる額面のあらゆる湾曲度（角度）に対応できる。
【００１３】
前記頭部固定装置において、一対の前記パッドは、前記被検者の前後方向に移動可能であることが好ましい。
【００１４】
この構成では、一対のパッドを被検者の前後方向に移動させることによって、被検者に対して近接離反移動させることができる。
【００１５】
前記頭部固定装置において、一対の前記パッドは、前記被検者の左右方向に移動可能であることが好ましい。
【００１６】
この構成では、一対のパッドを被検者の左右方向に移動させることによって、被検者に対して近接離反移動させることができる。
【００１７】
前記頭部固定装置において、一対の前記パッドは、前記被検者の左右方向に延びる軸線の周りで円周方向に移動可能であることが好ましい。
【００１８】
この構成では、一対のパッドを軸線の周りで円周方向に移動させることによって、被検者に対して近接離反移動させることができる。
【００１９】
前記頭部固定装置は、本体部と、前記本体部に取り付けられ、前記被検者の下顎部を支持する下顎部支持手段と、を備え、前記下顎部支持手段は、前記下顎部の下部に接触する接触面を持つ接触部材を有し、前記頭部押さえ手段は、一対の前記パッドを支持するパッド支持部材を有し、前記パッド支持部材は、前記軸線に沿う回動軸の周りで回動可能に前記本体部に取り付けられていることが好ましい。
【００２０】
この構成では、被検者の頭部を上下方向においても確実に位置決めでき、撮影中の頭部の揺れをより抑えることが可能となる。また、本体部に下顎部支持手段と頭部押さえ手段との両方を取り付けて一体化することができ、コンパクト化が図られる。
【００２１】
前記頭部固定装置において、前記回動軸は、前記軸線に沿う方向にスライド可能であり、前記接触面は、前記下顎部の下部の前側部分に接触するものであり、前記接触面上から外方に向けて延びる該接触面の法線ベクトルは、前記被検者の左右方向の成分を有しないことが好ましい。
【００２２】
この構成では、例えば診断の目的部位としての関心領域がどこかによって頭部の位置が左右方向にずれる場合であっても、その状態における頭部にあわせて、頭部の固定位置を調整しつつ該頭部を固定できる。これにより、より安定した撮影が可能となり、精度の高い画像を得ることができる。ここで、接触面の左右の傾きが存在しないため、頭部の位置が左右方向にずれたとしても、下顎部が接触面に干渉することはない。
【００２３】
前記頭部固定装置において、前記接触面は、前記被検者の後方に向かう方向において先端に近付くにしたがって下がるように傾斜する平面であることが好ましい。
【００２４】
この構成では、接触部材は、形状が簡単となるため製造が容易で安価となる。
【００２５】
前記頭部固定装置において、前記接触部材は、前記被検者の前後方向に移動可能であることが好ましい。
【００２６】
この構成では、例えば関心領域がどこかによって、あるいは複数のサイズの撮影視野のいずれが使用されるか等によって頭部の位置が前後方向にずれる場合であっても、接触部材を被検者の前後方向に移動させることによって、接触部材の接触面を被検者の下顎部の下部に接触させて頭部を位置決めできる。これにより、被検者の頭部をより安定化させることができる。
【００２７】
前記頭部固定装置は、前記本体部が設けられている基部を備え、前記本体部は、前記基部に対して上下方向に移動可能であることが好ましい。
【００２８】
この構成では、本体部とともに下顎部支持手段と頭部押さえ手段とを上下動させることができる。これにより、例えば、頭部の大きさや形状が異なる各被検者に対応する場合や、関心領域を上下方向にずらす場合にも対応可能となる。
【発明の効果】
【００２９】
本発明によれば、簡易な構成で頭部固定の操作性の向上を図りつつ、撮影中の頭部の揺れを効果的に抑えることが可能な頭部固定装置を提供できる。
【図面の簡単な説明】
【００３０】
【図１】本発明の一実施形態に係る頭部固定装置６を搭載した歯科用のＸ線撮影装置を示す側面図である。
【図２】図１に示される頭部固定装置の周辺を示す斜視図である。
【図３】図３（ａ）は、頭部固定装置の平面図、図３（ｂ）は、頭部固定装置の側面図、図３（ｃ）は、頭部固定装置の正面図である。
【図４】図４（ａ）は、プレートと小ＦＯＶとを模式的に示す平面図、図４（ｂ）は、プレートと小ＦＯＶとを模式的に示す側面図である。
【図５】臼歯の撮影を説明するための図である。
【図６】前歯の撮影を説明するための図である。
【図７】頭部押さえ手段によって患者の頭部を押さえる様子を説明するための図である。
【図８】他の実施形態に係る頭部押さえ手段によって患者の頭部を押さえる様子を説明するための図である。
【図９】更なる他の実施形態に係る頭部押さえ手段によって患者の頭部を押さえる様子を説明するための図である。
【図１０】本発明の更なる他の実施形態に係る頭部固定装置の周辺を示す斜視図である。
【図１１】図１０に示される頭部固定装置の側面図である。
【図１２】図１２（ａ）は、小ＦＯＶを用いた撮影を説明するための図、図１２（ｂ）は、中ＦＯＶを用いた撮影を説明するための図、図１２（ｃ）は、大ＦＯＶを用いた撮影を説明するための図である。
【発明を実施するための形態】
【００３１】
本発明の実施形態について、適宜図面を参照しながら詳細に説明する。
なお、以下に示す各図において、共通する部分には同一の参照符号を付し、重複した説明を適宜省略する。
【００３２】
図１は、本発明の一実施形態に係る頭部固定装置６を搭載した歯科用のＸ線撮影装置１を示す側面図である。
図１に示すように、Ｘ線撮影装置１は、支柱部２と、支柱部２に対して鉛直方向（上下方向）に移動自在に配設されたスライド本体部３とを備えている。スライド本体部３は、鉛直方向に延伸するスライド鉛直部３１と、該スライド鉛直部３１の上端に基端側が取り付けられ水平方向に延伸するスライド水平部３２とを有している。スライド本体部３のスライド水平部３２の下面側には、アーム４が、鉛直方向に沿う回転中心軸Ｃ１の周りに回転自在に配設されている。
【００３３】
Ｘ線撮影装置１は、被写体にＸ線束Ｌ（図４参照、以下同様）を照射するＸ線源１１と、被写体を透過したＸ線束Ｌを検出するＸ線撮像手段１２と、Ｘ線源１１およびＸ線撮像手段１２を支持する支持部材であるアーム４と、アーム４を回転中心軸Ｃ１の周りに回転させる旋回手段５と、を備えている。旋回手段５は、スライド水平部３２に配設されている。また、Ｘ線撮影装置１は、旋回手段５やＸ線源１１等の各部の動作を制御する制御装置と、Ｘ線撮像手段１２が取得した投影画像を処理する画像処理手段とを備えている（いずれも図示せず）。
【００３４】
Ｘ線撮影装置１において、被写体は、図示しない被検者としての患者の頭部における患部周辺に相当する。撮影を行う場合、患者は、アーム４の内側において頭部固定装置６によって頭部を固定して配置される。頭部固定装置６は、支持アーム３３を介して、スライド鉛直部３１に固定されている。そして、Ｘ線撮影装置１は、患者の頭部が固定された状態で、アーム４を被写体の回りに回転してＣＴ撮影を行う。
【００３５】
Ｘ線源１１およびＸ線撮像手段１２は、被写体を挟んで、互いに対峙するようにアーム４に配設されている。そして、サーボモータ等を備える旋回手段５によりアーム４を旋回させて、Ｘ線源１１およびＸ線撮像手段１２を被写体の周りに回転させ、Ｘ線源１１から照射されたＸ線束Ｌが被写体を透過してＸ線撮像手段１２で検出される。
【００３６】
Ｘ線源１１から照射されたＸ線束Ｌの範囲（広がり）を規制するスリット１３が、アーム４に配設されている。このスリット１３によって絞られたＸ線束Ｌが被写体を通過してＸ線撮像手段１２で検出される。スリット１３は、Ｘ線束Ｌの広がりを調整可能である。スリット１３を配設したことで、散乱線の量を低減させることによって画質を向上させることができる。
【００３７】
Ｘ線撮影装置１は、ＣＴ撮影においてＸ線束Ｌの広がりが異なる複数種類（ここでは、大小２種類）の撮影モードを備えている。Ｘ線束Ｌの広がりが大きい方の撮影モードでは、直径の大きい撮影視野（以下、「ＦＯＶ」ともいう）が得られる。また、Ｘ線束Ｌの広がりが小さい撮影モードでは、直径の小さいＦＯＶが得られる。本実施形態では、局所撮影モードは、Ｘ線束Ｌの広がりが最小（ここでは大小２種類のうちの小さい方）の撮影モードである小ＦＯＶ撮影モードであり、小ＦＯＶ撮影モードで得られるＦＯＶを小ＦＯＶと呼ぶ。なお、局所撮影モードは、Ｘ線束Ｌの広がりが異なる複数の撮影モードのうちの１歯または２歯撮影用の撮影モードとも定義され得る。
【００３８】
Ｘ線撮像手段１２は、受光面が矩形の平面センサからなり、例えばＣＭＯＳセンサ、ＣＣＤセンサ、ＣｄＴｅセンサ、その他のイメージセンサで構成されている。
【００３９】
図２は、図１に示される頭部固定装置６の周辺を示す斜視図である。図３（ａ）は、頭部固定装置６の平面図、図３（ｂ）は、頭部固定装置６の側面図、図３（ｃ）は、頭部固定装置６の正面図である。
図２、図３に示すように、頭部固定装置６は、基部６１と、本体部６２と、頭部押さえ手段６３と、下顎部支持手段６４とを備えている。頭部固定装置６は、患者の頭部の固定位置が調整可能となるように構成されている。
【００４０】
基部６１の正面部には、操作パネル６１１が配設されている。操作者は、操作パネル６１１を通して、Ｘ線撮影装置１の各種動作を実行させることができる。基部６１の側面部には、支持アーム３３の先端部が接続されている。
【００４１】
基部６１には、本体部６２が設けられている。本体部６２は、基部６１に対して上下方向Ａ１（図３（ｂ）参照）に移動可能である。本体部６２に設けられたレバー等の操作部材６２１を例えば押し上げるように操作することによって本体部６２の上下動がフリーとなり、操作部材６２１の押し上げを解除すると本体部６２が上下方向において固定されるようになっている。
【００４２】
頭部押さえ手段６３は、患者の左右のこめかみ部１０３，１０３（図７参照）にそれぞれ当接する一対のパッド６３１，６３１と、一対のパッド６３１，６３１を支持するパッド支持部材６３２とを有している。ここで、こめかみ部は、厳密なこめかみ位置のほか、概ねこめかみ位置付近をも含む趣旨であり、前頭部における左右の部分に相当する。
【００４３】
一対のパッド６３１，６３１は、患者に対して近接離反移動可能である。本実施形態では、一対のパッド６３１，６３１は、患者の左右方向に延びる軸線Ｃ２の周りで円周方向Ａ２（図３（ｂ）参照）に移動可能となっている。具体的には、一対のパッド６３１，６３１を支持するパッド支持部材６３２が、軸線Ｃ２に沿う回動軸６３５の周りで回動可能に本体部６２に取り付けられている。パッド支持部材６３２の先端側の部分のみ、回動の様子を破線で示す（図３（ｂ）参照）。また、レバー等の操作部材６３８の操作によって、パッド支持部材６３２の回動をフリーにしたり禁止（固定）したりすることが可能となっている。
【００４４】
パッド支持部材６３２は、パッド６３１が取り付けられているパッド取付部６３３と、左右に配置される一対の支持板６３４，６３４とを有している。パッド取付部６３３の左右の端部は、一対の支持板６３４，６３４の各先端部にそれぞれ固定されている。また、一対の支持板６３４，６３４の基端部は、本体部６２にそれぞれ回動可能に取り付けられている。パッド６３１は、柔軟性を有する介在部材６３７（図３（ａ）参照）を介してパッド取付部６３３に取り付けられている。介在部材６３７は、例えばゴム製であり、略円柱または略円筒状を呈している。
【００４５】
一対のパッド６３１，６３１は、患者に当接する当接面６３６をそれぞれ有している。一対の当接面６３６，６３６の各法線の間の挟角α（図７参照）は、９０度〜１５０度、好ましくは１１０度〜１３０度、より好ましくは約１２０度に設定されている。ただし、挟角αは、前記値に必ずしも限定されるものではない。
【００４６】
回動軸６３５は、軸線Ｃ２に沿うＡ３方向（図３（ｃ）参照）にスライド可能となっている。したがって、頭部押さえ手段６３の全体が、軸線Ｃ２に沿うＡ３方向にスライド可能となる。患者の左側の支持板６３４の周辺のみ、スライドの様子を破線で示す（図３（ｃ）参照）。また、ノブ等の操作部材６２２の操作によって、回動軸６３５のスライド移動をフリーにしたり禁止（固定）したりすることが可能となっている。
【００４７】
下顎部支持手段６４は、本体部６２の上部に取り付けられており、患者の下顎部を支持する。下顎部支持手段６４は、本体部６２の上面部に設置された基体６４１と、基体６４１の患者側の端部に設けられた接触部材６４２とを有している。
【００４８】
接触部材６４２は、患者の下顎部の下部の前側部分に接触する接触面６４３を持つ。接触面６４３上から外方に向けて延びる該接触面６４３の法線ベクトルＶ（図３（ｂ）参照）は、上下方向の成分および患者の前後方向の成分を有しているが、患者の左右方向の成分を有していない。すなわち、法線ベクトルＶの患者の左右方向の成分はゼロとなっている。つまり、接触面６４３の左右の傾きは存在しない。ここでは、接触面６４３は、患者の後方に向かう方向において先端に近付くにしたがって下がるように傾斜する平面である。
【００４９】
下顎部支持手段６４の基体６４１には、上下方向に貫通する長孔６４４が形成されている。長孔６４４は、上下方向から見て患者の前後方向に長い長円を呈している。基体６４１の長孔６４４には、バイトプレート部材６５が貫通している。接触部材６４２を備える下顎部支持手段６４は、患者の前後方向Ａ４（図３（ａ）参照）に移動可能となっている。基体６４１の前側端部周辺のみ、移動の様子を破線で示す（図３（ａ）参照）。
【００５０】
バイトプレート部材６５は、ＣＴ撮影時に患者が噛むプレート６５１と、プレート６５１を支持するＬ字状の支持棒６５２とを有している。バイトプレート部材６５は、支持棒６５２の下端部が本体部６２に設置されているブロック６５３に形成された穴部（図示せず）に挿入されることによって、本体部６２に固定される。バイトプレート部材６５は、ブロック６５３に対して着脱可能である。なお、プレート６５１が支持棒６５２に対して着脱可能に構成されてもよい。
【００５１】
図１に示すように、プレート６５１と回転中心軸Ｃ１との水平方向の相対位置が固定されている。本実施形態では、プレート６５１と回転中心軸Ｃ１との水平方向における位置は、それぞれ固定されている。また、プレート６５１は、回転中心軸Ｃ１の延長線上に配置されている。
【００５２】
図４（ａ）は、プレート６５１と小ＦＯＶ１４とを模式的に示す平面図、図４（ｂ）は、プレート６５１と小ＦＯＶ１４とを模式的に示す側面図である。
【００５３】
図４に示すように、バイトプレート部材６５のプレート６５１は、小ＦＯＶ撮影モードで得られる小ＦＯＶ１４の直径Ｄ１以下の直径Ｄ２を持つ円板状を呈しており、水平に配置されている。ここで、水平とは、厳密な水平のほか、略水平をも含む趣旨である。回転中心軸Ｃ１の延長線は、プレート６５１の中心（平面視した図形の図心）を通っている。
【００５４】
なお、プレート６５１は円板状に限定されるものではない。例えば、プレート６５１は、楕円板状、四角板状等を呈していてもよい。この場合、プレート６５１の水平方向の最大長さが、小ＦＯＶ１４の直径Ｄ１以下に設定されることが好ましい。
【００５５】
次に、以上のように構成されたＸ線撮影装置１を用いてＣＴ撮影を行うＸ線撮影方法について、図５〜図７を参照しながら説明する。
図５は、臼歯の撮影を説明するための図である。図６は、前歯の撮影を説明するための図である。図７は、頭部押さえ手段６３によって患者の頭部を押さえる様子を説明するための図である。
【００５６】
まず、患者がバイトプレート部材６５のプレート６５１を噛む。このとき、患者は、診断の目的部位に対応する歯や部位で回転中心軸Ｃ１の延長線上にあるプレート６５１を噛む。すなわち、診断の目的部位としての関心領域が臼歯１０１である場合、患者は、図５に示すように臼歯１０１でプレート６５１を噛む。一方、関心領域が前歯１０２である場合、患者は、図６に示すように前歯１０２でプレート６５１を噛む。
【００５７】
続いて、患者がプレート６５１を噛んだ状態における患者の頭部にあわせて、頭部固定装置６によって頭部の固定位置が調整されるとともに該頭部が固定される。例えば、関心領域が臼歯１０１である場合、患者の頭部は、左側または右側、および前側に寄せて固定される。また、関心領域が前歯１０２である場合、患者の頭部は、左右方向の中央側、および後側に寄せて固定される。このとき、図７に示すように、患者の左右のこめかみ部１０３，１０３が一対のパッド６３１，６３１によって押さえられる。
【００５８】
続いて、患者がプレート６５１を噛んだ状態において、旋回手段５がアーム４を回転させてＸ線源１１およびＸ線撮像手段１２を被写体の周りで旋回させながら、Ｘ線撮像手段１２が被写体を透過したＸ線束Ｌを検出する。
【００５９】
ＣＴ撮影により得られた投影画像は、画像処理手段（図示せず）において所定の画像処理が施されて、ＣＴ画像が生成される。生成されたＣＴ画像は、必要に応じて外部記憶装置（図示せず）に保存され得る。
【００６０】
前記したように、本実施形態に係る頭部固定装置６は、Ｘ線撮影装置１に用いられ患者の頭部を固定する頭部固定装置である。頭部固定装置６は、患者の左右のこめかみ部１０３，１０３にそれぞれ当接する一対のパッド６３１，６３１を有する頭部押さえ手段６３を備えている。一対のパッド６３１，６３１は、患者に対して近接離反移動可能である。
【００６１】
このような本実施形態では、頭部固定の操作は一対のパッド６３１，６３１を患者にそれぞれ近接移動させる運動の１アクションで済み、操作が簡便になる。また、患者の左右のこめかみ部１０３，１０３が一対のパッド６３１，６３１によって押さえられるため、患者の頭部を左右方向および前後方向において同時に確実に位置決めできる。しかも、移動機構は、一対のパッド６３１，６３１を患者に対して近接離反移動させる移動機構の１つで済み、簡易かつ安価な構成を実現できる。さらに、頭部の揺れを抑えるために患者に当接する箇所を、従来の側頭部の両側２箇所および前頭部の１箇所の合計３箇所から２箇所に減らすことができ、患者の不快感を軽減できる。
すなわち、本実施形態によれば、簡易な構成で頭部固定の操作性の向上を図りつつ、撮影中の頭部の揺れを効果的に抑えることが可能な頭部固定装置６を提供できる。
【００６２】
また、本実施形態では、一対のパッド６３１，６３１は、患者に当接する当接面６３６をそれぞれ有し、一対の当接面６３６の各法線の間の挟角αは、９０度〜１５０度に設定されている。この構成では、患者の頭部が一対のパッド６３１，６３１から受ける各力と、患者が頭部の位置を保つための力とが、頭部を中心とした円周方向において概ね均等に配分された方向から働く。このため、頭部の固定力が向上し、撮影中の頭部の揺れをより抑えることが可能となる。
【００６３】
また、本実施形態では、頭部押さえ手段６３は、一対のパッド６３１，６３１が取り付けられているパッド取付部６３３を有し、パッド６３１は、柔軟性を有する介在部材６３７を介してパッド取付部６３３に取り付けられている。この構成では、患者の額面におけるこめかみ部１０３にパッド６３１が当接すると、柔軟性を有する介在部材６３７が変形してパッド６３１の当接面６３６が額面に倣うようにパッド６３１の角度が変化する。したがって、パッド６３１は、患者によって異なる額面のあらゆる湾曲度（角度）に対応できる。
【００６４】
また、本実施形態では、一対のパッド６３１，６３１は、患者の左右方向に延びる軸線Ｃ２の周りで円周方向に移動可能である。この構成では、一対のパッド６３１，６３１を軸線Ｃ２の周りで円周方向Ａ２に移動させることによって、患者に対して近接離反移動させることができる。
【００６５】
また、本実施形態では、頭部固定装置６は、本体部６２と、本体部６２に取り付けられ、患者の下顎部を支持する下顎部支持手段６４と、を備えている。下顎部支持手段６４は、患者の下顎部の下部に接触する接触面６４３を持つ接触部材６４２を有している。そして、頭部押さえ手段６３は、一対のパッド６３１，６３１を支持するパッド支持部材６３２を有し、パッド支持部材６３２は、軸線Ｃ２に沿う回動軸６３５の周りで回動可能に本体部６２に取り付けられている。この構成では、患者の頭部を上下方向においても確実に位置決めでき、撮影中の頭部の揺れをより抑えることが可能となる。また、本体部６２に下顎部支持手段６４と頭部押さえ手段６３との両方を取り付けて一体化することができ、コンパクト化が図られる。
【００６６】
また、本実施形態では、回動軸６３５は、軸線Ｃ２に沿う方向にスライド可能である。また、接触面６４３は、患者の下顎部の下部の前側部分に接触するものであり、接触面６４３上から外方に向けて延びる該接触面６４３の法線ベクトルＶは、患者の左右方向の成分を有しない。この構成では、例えば診断の目的部位としての関心領域がどこかによって頭部の位置が左右方向にずれる場合であっても、その状態における頭部にあわせて、頭部の固定位置を調整しつつ該頭部を固定できる。これにより、より安定した撮影が可能となり、精度の高い画像を得ることができる。ここで、接触面６４３の左右の傾きが存在しないため、頭部の位置が左右方向にずれたとしても、下顎部が接触面６４３に干渉することはない。
【００６７】
また、本実施形態では、接触面６４３は、患者の後方に向かう方向において先端に近付くにしたがって下がるように傾斜する平面である。この構成では、接触部材６４２は、形状が簡単となるため製造が容易で安価となる。
【００６８】
また、本実施形態では、接触部材６４２は、患者の前後方向に移動可能である。この構成では、例えば関心領域がどこかによって頭部の位置が前後方向にずれる場合であっても、接触部材６４２を患者の前後方向に移動させることによって、接触部材６４２の接触面６４３を患者の下顎部の下部に接触させて頭部を位置決めできる。これにより、患者の頭部をより安定化させることができる。
【００６９】
また、本実施形態では、頭部固定装置６は、本体部６２が設けられている基部６１を備え、本体部６２は、基部６１に対して上下方向に移動可能である。この構成では、本体部６２とともに下顎部支持手段６４と頭部押さえ手段６３とを上下動させることができる。これにより、例えば、頭部の大きさや形状が異なる各患者に対応する場合や、関心領域を上下方向にずらす場合にも対応可能となる。
【００７０】
図８は、他の実施形態に係る頭部押さえ手段６３ａによって患者の頭部を押さえる様子を説明するための図である。図８に示す他の実施形態では、一対のパッド６３１，６３１は、図示しない前後方向の移動機構によって、患者の前後方向Ｂ１に移動可能である。この構成では、一対のパッド６３１，６３１を患者の前後方向Ｂ１に移動させることによって、患者に対して近接離反移動させることができる。
【００７１】
図９は、更なる他の実施形態に係る頭部押さえ手段６３ｂによって患者の頭部を押さえる様子を説明するための図である。図９に示すように、頭部押さえ手段６３ｂは、左右に分割された一対のパッド取付部６３３ａ，６３３ｂと、パッド取付部６３３ａの内面に形成された歯部に噛合するとともにパッド取付部６３３ｂの外面に形成された歯部に噛合するギア６３９とを有している。図９に示す更なる他の実施形態では、一対のパッド６３１，６３１は、図示しない駆動手段によりギア６３９が回転させられることによって、患者の左右方向Ｂ２に移動可能である。この構成では、一対のパッド６３１，６３１を患者の左右方向Ｂ２に移動させることによって、患者に対して近接離反移動させることができる。
【００７２】
次に、図１０〜図１２を参照して、本発明の更なる他の実施形態について、前記した実施形態と相違する点を説明し、共通する点の説明を省略する。
図１０は、本発明の更なる他の実施形態に係る頭部固定装置６ａの周辺を示す斜視図である。図１１は、図１０に示される頭部固定装置６ａの側面図である。図１２（ａ）は、小ＦＯＶ１４を用いた撮影を説明するための図、図１２（ｂ）は、中ＦＯＶ１５を用いた撮影を説明するための図、図１２（ｃ）は、大ＦＯＶ１６を用いた撮影を説明するための図である。なお、図１２において、符号「Ｈ」は患者の頭部を示す。
【００７３】
図１０、図１１に示す頭部固定装置６ａは、前記した実施形態に係る下顎部支持手段６４（図２、図３参照）とは異なる下顎部支持手段６４ａを備えている。下顎部支持手段６４ａは、本体部６２の上面部に設置された基体６４１と、基体６４１の患者側の端部に設けられた接触部材６４２ａとを有している。接触部材６４２ａは、患者の下顎部の下部に接触する接触面６４３ａを持つ。接触面６４３ａは、患者の下顎部の下部を載せられるような皿状乃至お椀状を呈している。これにより、下顎の位置が定まるようになっている。ただし、接触面６４３ａは、患者の下顎部の下部の前面に接触する馬蹄形を呈する壁面として形成されていてもよい。接触部材６４２ａを備える下顎部支持手段６４ａは、患者の前後方向Ａ４に移動可能となっている。
【００７４】
図１０〜図１２に示す本発明の更なる他の実施形態では、Ｘ線撮影装置１は、ＣＴ撮影においてＸ線束Ｌの広がりが異なる大中小３種類の撮影モードを備えている。したがって、３種類の撮影モードに対応して、直径の小さいＦＯＶである小ＦＯＶ１４（図１２（ａ）参照）、直径が中程度の大きさのＦＯＶである中ＦＯＶ１５（図１２（ｂ）参照）、直径の大きいＦＯＶである大ＦＯＶ１４（図１２（ｃ）参照）、がそれぞれ得られる。この場合、図１２（ａ）〜（ｃ）に示すように、複数のサイズのＦＯＶ１４〜１６に歯列を無駄なく納めるためには、患者の頭部Ｈを前後方向に移動させる必要がある。
【００７５】
この実施形態では、皿状等を呈する接触面６４３ａ持つ接触部材６４２ａを前後方向に移動させ、患者の下顎部の下部を接触面６４３ａに載せることで、各ＦＯＶ１４〜１６に対応した位置に患者の頭部Ｈを位置決めすることができる。そして、頭部押さえ手段６３のパッド６３１を軸線Ｃ２の周りで円周方向Ａ２に移動させ、患者のこめかみ部１０３（図７参照）に当接させることによって、患者の頭部Ｈを安定的に固定することができる。図１１において、患者の頭部を後側に移動させた場合を破線で示す。
【００７６】
このように、図１０〜図１２に示す実施形態では、例えば複数のサイズのＦＯＶ１４〜１６のいずれが使用されるかによって頭部の位置が前後方向にずれる場合であっても、接触部材６４２ａを患者の前後方向に移動させることによって、接触部材６４２ａの接触面６４３ａを患者の下顎部の下部に接触させて頭部を位置決めできる。これにより、患者の頭部をより安定化させることができる。
【００７７】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【００７８】
例えば、前記実施形態では、Ｘ線撮影装置１は、ＣＴ撮影が可能な装置として構成されているが、本発明はこれに限定されるものではない。例えば、Ｘ線撮影装置１は、ＣＴ撮影に加えて、パノラマ撮影が可能な装置として構成されていてもよい。
【符号の説明】
【００７９】
１      Ｘ線撮影装置
１１    Ｘ線源
１２    Ｘ線撮像手段
１３    スリット
１４〜１６  ＦＯＶ
２      支柱部
３      スライド本体部
３１    スライド鉛直部
３２    スライド水平部
３３    支持アーム
４      アーム
５      旋回手段
６      頭部固定装置
６１    基部
６１１  操作パネル
６２    本体部
６２１，６２２，６３８  操作部材
６３，６３ａ，６３ｂ  頭部押さえ手段
６３１  パッド
６３２  パッド支持部材
６３３，６３３ａ，６３３ｂ  パッド取付部
６３４  支持板
６３５  回動軸
６３６  当接面
６３７  介在部材
６３９  ギア
６４，６４ａ  下顎部支持手段
６４１  基体
６４２，６４２ａ  接触部材
６４３，６４３ａ  接触面
６４４  長孔
６５    バイトプレート部材
６５１  プレート
６５２  支持棒
６５３  ブロック
１０１  臼歯
１０２  前歯
１０３  こめかみ部
Ｃ１    回転中心軸
Ｃ２    軸線
Ｄ１    小ＦＯＶの直径
Ｄ２    プレートの直径
Ｌ      Ｘ線束
Ｖ      法線ベクトル
α      挟角
【図１】
2018121800.tif 000003
【図２】
2018121800.tif 000004
【図３】
2018121800.tif 000005
【図４】
2018121800.tif 000006
【図５】
2018121800.tif 000007
【図６】
2018121800.tif 000008
【図７】
2018121800.tif 000009
【図８】
2018121800.tif 000010
【図９】
2018121800.tif 000011
【図１０】
2018121800.tif 000012
【図１１】
2018121800.tif 000013
【図１２】
2018121800.tif 000014
【手続補正書】
【提出日】平成29年12月28日(2017.12.28)
【手続補正１】
【補正対象書類名】特許請求の範囲
【補正対象項目名】請求項１
【補正方法】変更
【補正の内容】
【請求項１】
Ｘ線撮影装置に用いられ被検者の頭部を固定する頭部固定装置であって、
前記被検者の前頭部における左右の部分に相当する左右のこめかみ部にそれぞれ当接する一対のパッドを有する頭部押さえ手段を備え、
一対の前記パッドは、前記被検者に対して近接離反移動可能であることを特徴とする頭部固定装置。
【手続補正２】
【補正対象書類名】明細書
【補正対象項目名】０００７
【補正方法】変更
【補正の内容】
【０００７】
前記課題を解決するため、本発明は、Ｘ線撮影装置に用いられ被検者の頭部を固定する頭部固定装置であって、前記被検者の前頭部における左右の部分に相当する左右のこめかみ部にそれぞれ当接する一対のパッドを有する頭部押さえ手段を備え、一対の前記パッドは、前記被検者に対して近接離反移動可能であることを特徴とする。
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
Ｘ線撮影装置に用いられ被検者の頭部を固定する頭部固定装置であって、
前記被検者の前頭部における左右の部分に相当する左右のこめかみ部にそれぞれ当接する一対のパッドを有する頭部押さえ手段を備え、
一対の前記パッドは、前記被検者に対して近接離反移動可能であり、
一対の前記パッドは、前記被検者の左右方向に延びる軸線の周りで円周方向に移動可能であることを特徴とする頭部固定装置。
【請求項２】
一対の前記パッドは、前記被検者に当接する当接面をそれぞれ有し、
一対の前記当接面の各法線の間の挟角は、９０度〜１５０度に設定されていることを特徴とする請求項１に記載の頭部固定装置。
【請求項３】
前記頭部押さえ手段は、一対の前記パッドが取り付けられているパッド取付部を有し、
前記パッドは、柔軟性を有する介在部材を介して前記パッド取付部に取り付けられていることを特徴とする請求項１または請求項２に記載の頭部固定装置。
【請求項４】
本体部と、
前記本体部に取り付けられ、前記被検者の下顎部を支持する下顎部支持手段と、を備え、
前記下顎部支持手段は、前記下顎部の下部に接触する接触面を持つ接触部材を有し、
前記頭部押さえ手段は、一対の前記パッドを支持するパッド支持部材を有し、
前記パッド支持部材は、前記軸線に沿う回動軸の周りで回動可能に前記本体部に取り付けられていることを特徴とする請求項１から請求項３のいずれ一項に記載の頭部固定装置。
【請求項５】
前記回動軸は、前記軸線に沿う方向にスライド可能であり、
前記接触面は、前記下顎部の下部の前側部分に接触するものであり、
前記接触面上から外方に向けて延びる該接触面の法線ベクトルは、前記被検者の左右方向の成分を有しないことを特徴とする請求項４に記載の頭部固定装置。
【請求項６】
前記接触面は、前記被検者の後方に向かう方向において先端に近付くにしたがって下がるように傾斜する平面であることを特徴とする請求項５に記載の頭部固定装置。
【請求項７】
前記接触部材は、前記被検者の前後方向に移動可能であることを特徴とする請求項４から請求項６のいずれか一項に記載の頭部固定装置。
【請求項８】
前記本体部が設けられている基部を備え、
前記本体部は、前記基部に対して上下方向に移動可能であることを特徴とする請求項４から請求項７のいずれか一項に記載の頭部固定装置。
【手続補正２】
【補正対象書類名】明細書
【補正対象項目名】０００７
【補正方法】変更
【補正の内容】
【０００７】
前記課題を解決するため、本発明は、Ｘ線撮影装置に用いられ被検者の頭部を固定する頭部固定装置であって、前記被検者の前頭部における左右の部分に相当する左右のこめかみ部にそれぞれ当接する一対のパッドを有する頭部押さえ手段を備え、一対の前記パッドは、前記被検者に対して近接離反移動可能であり、一対の前記パッドは、前記被検者の左右方向に延びる軸線の周りで円周方向に移動可能であることを特徴とする。
【手続補正３】
【補正対象書類名】明細書
【補正対象項目名】０００８
【補正方法】変更
【補正の内容】
【０００８】
この構成では、頭部固定の操作は一対のパッドを被検者にそれぞれ近接移動させる運動の１アクションで済み、操作が簡便になる。また、被検者の左右のこめかみ部が一対のパッドによって押さえられるため、被検者の頭部を左右方向および前後方向において同時に確実に位置決めできる。しかも、移動機構は、一対のパッドを被検者に対して近接離反移動させる移動機構の１つで済み、簡易かつ安価な構成を実現できる。さらに、頭部の揺れを抑えるために被検者に当接する箇所を、従来の側頭部の両側２箇所および前頭部の１箇所の合計３箇所から２箇所に減らすことができ、被検者の不快感を軽減できる。
すなわち、本発明によれば、簡易な構成で頭部固定の操作性の向上を図りつつ、撮影中の頭部の揺れを効果的に抑えることが可能な頭部固定装置を提供できる。
また、一対のパッドを軸線の周りで円周方向に移動させることによって、被検者に対して近接離反移動させることができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】